(57)【要約】【課題】第1に、高齢者，子供，幼児，障害者，病人，その他の力が弱い人でも、指先に少し力を加えるだけで、容器のキャップを楽に開けることが出来るようになり、第２に、しかも使い易く、使用面に優れ、第３に、構造も簡単であり、コスト面にも優れた、キャップ開放具を提案する。【解決手段】このキャップ開放具１は、容器ＡのキャップＣを開放するために使用される。キャップＣは、ネジ式よりなり、容器Ａの収納対象Ｆの出し入れ用の開口部Ｂを、開閉可能であると共に、収納対象Ｆの未使用時は開口部Ｂを、閉鎖止着している。そしてキャップ開放具１は、キャップＣに外嵌可能な内側部２と、手の指で把持して回転力を付与可能な外側部３とを、備えており、外側部３の回転を内側部２に伝達可能となっている。なお内側部２は、キャップＣに外嵌接触する内面４が、滑り止め構造５よりなる。【選択図】図１
2011098749.tif 000002
【特許請求の範囲】
【請求項１】
容器のキャップを開放するために使用されるキャップ開放具であって、該キャップは、ネジ式よりなり、容器の収納対象出し入れ用の開口部を、開閉可能であると共に、該収納対象の未使用時は該開口部を、閉鎖止着しており、
該キャップ開放具は、該キャップに外嵌可能な内側部と、手の指で把持して回転力を付与可能な外側部とを、備えると共に、該外側部の回転を該内側部に伝達可能となっていること、を特徴とするキャップ開放具。
【請求項２】
請求項１に記載したキャップ開放具において、該内側部は、該キャップに外嵌接触する内面が、滑り止め構造よりなっていること、を特徴とするキャップ開放具。
【請求項３】
請求項２に記載したキャップ開放具において、該内側部と該外側部は、別体構成よりなると共に、両者間に連結部が介装されていること、を特徴とするキャップ開放具。
【請求項４】
請求項２に記載したキャップ開放具において、該内側部と該外側部は、一体構成よりなること、を特徴とするキャップ開放具。
【発明の詳細な説明】
【技術分野】
【０００１】
本発明は、キャップ開放具に関する。すなわち、容器のキャップを開放するために使用する、キャップ開放具に関するものである。
【背景技術】
【０００２】
例えば、清涼飲料，ジュース，その他各種の飲料は、ボトル，缶，その他容器に収納されて、市販されることが多い。
そして、この種の容器は、キャップ付となっている。このキャップは多くの場合、ネジ式よりなり、容器の収納対象出し入れ用の開口部を、開閉可能となっている。もってキャップは、収納対象つまり中身の未使用時は、容器の開口部を閉鎖止着している。
そして、このキャップによる開口部の閉鎖止着は、不用意に開放されることがない様、強く実施されている。
すなわち、保管中や搬送中に、例えば他との接触等により、もしも容易にキャップが開放されるようなことがあると、中身の収納対象が外に溢れ出す事故発生の虞がある。もってキャップは、力のモーメントが少々加わっても開放されることがないように、通常一般的に、容器の開口部に対し強く閉鎖止着されている。
【発明の概要】
【発明が解決しようとする課題】
【０００３】
ところで、上述したこの種従来例については、次の課題が指摘されていた。図２の（２）図は、この種従来例によるキャップ開放時の斜視図である。
同図にも示したように、この種従来例において、容器Ａの開口部Ｂを閉鎖止着するキャップＣの開放に際しては、まず手Ｄの指Ｅで、キャップＣを直接把持する。そして直接、指ＥでキャップＣに回転力を付与することにより、それまでの閉鎖止着に抗し、キャップＣを開放していた。
しかしながら、高齢者，子供，幼児，障害者，病人，その他、手Ｄや指Ｅの力が弱い人は、キャップＣを開放困難となることが多々ある、という問題が指摘されていた。
高齢者，子供，その他の力が弱い人が、キャップＣを開放して、容器Ａの中味の収納対象Ｆを、飲食に供しようとしても、力が不足して指Ｅが滑り、十分な回転力，必要なモーメントが得られず、キャップＣを１人では開放できないことが多々ある、という問題があった。
なお、キャップＣによっては、外周面にギザギザきざみのローレット加工等、滑り止め加工が施されていることもあるが、それでも、キャップＣの閉鎖止着を開放できない事態が、多々発生していた。
【０００４】
本発明のキャップ開放具は、このような実情に鑑み、上記従来例の課題を解決すべくなされたものである。
そして本発明は、第１に、力の弱い人でも、キャップを楽に開放できるようになり、第２に、しかも使い易く、使用面に優れ、第３に、構造も簡単であり、コスト面にも優れた、キャップ開放具を提案することを、目的とする。
【課題を解決するための手段】
【０００５】
このような課題を解決する本発明の技術的手段は、次のとおりである。まず、請求項１については次のとおり。
請求項１のキャップ開放具は、容器のキャップを開放するために使用される。該キャップは、ネジ式よりなり、容器の収納対象出し入れ用の開口部を、開閉可能であると共に、該収納対象の未使用時は該開口部を、閉鎖止着している。
そして該キャップ開放具は、該キャップに外嵌可能な内側部と、手の指で把持して回転力を付与可能な外側部とを、備えると共に、該外側部の回転を該内側部に伝達可能となっていること、を特徴とする。
請求項２については、次のとおり。請求項２のキャップ開放具では、請求項１において、該内側部は、該キャップに外嵌接触する内面が、滑り止め構造よりなっていること、を特徴とする。
請求項３については、次のとおり。請求項３のキャップ開放具では、請求項２において、該内側部と該外側部は、別体構成よりなると共に、両者間に連結部が介装されていること、を特徴とする。
請求項４については、次のとおり。請求項４のキャップ開放具では、請求項２において、該内側部と該外側部は、一体構成よりなること、を特徴とする。
【発明の効果】
【０００６】
《第１の効果》
第１に、力の弱い人でも、キャップを楽に開放できるようになる。
すなわち、本発明のキャップ開放具は、容器の開口部を閉鎖止着しているキャップに、内側部を外嵌してから、把持した手の指で外側部に回転力を加えることにより、キャップを開放可能となる。
そこで、高齢者，子供，幼児，障害者，病人，その他の力が弱い人でも、指先に少し力を加えるだけで、必要な回転力を加えることができるようになる。すなわち、内側部内面と外側部外面との間の寸法分だけ、回転中心からのモーメントの長さ寸法距離が増加し、もって、キャップ開放に必要十分なモーメントが、得られようになる(図２の（１）図を参照)。
このように得られたモーメントにより、それまでの閉鎖止着に抗し、力の弱い人が１人でも楽にキャップを開放できるようになり、容器中味の収納対象を飽食等に供することが可能となる。
前述したこの種従来例のように、回転中心からのモーメントの長さ寸法距離が、極めて短く（図２の（２）図を参照）、もって高齢者，子供，その他の力の弱い人では、閉鎖止着を開放するためのモーメントが不足し、容器のキャップを開放できない事態は回避される。
【０００７】
《第２の効果》
第２に、しかも使い易く、使用面に優れている。
すなわち、本発明のキャップ開放具は、容器の開口部を閉鎖止着しているキャップに対し、内側部内面を外嵌してから、把持した手の指で外側部外面に回転力を加えることにより、容易にキャップを開放することができる。
高齢者，子供，幼児，障害者，病人，その他の力の弱い人でも、上述した簡単な操作により、容易に閉鎖止着されたキャップを開放可能となる。
又、このキャップ開放具は、上下を逆にしても、変わることなく使用可能である。すなわち、内側部内面は、上下逆でもキャップに外嵌可能であり、外側部外面は、上下逆でも回転力を加えることが可能である。もって、上下フリーに使用可能であり、この面からも、極めて使い易いと言える。
又、外側部外面に模様，図形，絵，文字，キャラクター等を付与可能であり、もって親しみ易くして、使用に供することも可能である。
【０００８】
《第３の効果》
第３に、構造も簡単であり、コスト面にも優れている。
すなわち、本発明のキャップ開放具は、内側部と外側部、更には滑り止め構造や連結部を備えた簡単な構造よりなる。材料も紙，プラスチック，ゴム，その他の原材料を、自在に選択使用可能である。
もって、極めて低コスト，安価に製作可能である。そこで例えば、各種飲料の店頭販売に際して、付帯景品，販売助成物，オマケ等としての使用にも、適している。又、高齢者，子供，幼児，病人向けのグッズ，ギフトの一環として、好適である。
【図面の簡単な説明】
【０００９】
【図１】本発明に係るキャップ開放具について、発明を実施するための形態の説明に供し、（１）図は、斜視図であり、（２）図は、使用時の斜視図である。
【図２】（１）図は、同発明を実施するための形態の説明に供し、キャップ開放時の斜視図である。なお（２）図は、この種従来例の説明に供し、キャップ開放時の斜視図である。
【図３】同発明を実施するための形態の説明に供し、各種例の平面説明図である。そして、（１）図は第１例を、（２）図は第２例を、（３）図は第３例を、（４）図は第４例を、（５）図は第５例を、（６）図は第６例を、それぞれ示す。
【発明を実施するための形態】
【００１０】
以下、本発明を実施するための形態について、詳細に説明する。まず、本発明の前提となる容器Ａと、そのキャップＣについて、図１の（２）図を参照して、説明しておく。
すなわち、本発明のキャップ開放具１は、容器ＡのキャップＣを開放するために使用される。そして、この容器ＡのキャップＣは、ネジ式よりなり、容器Ａの収納対象Ｆの出し入れ用の開口部Ｂを、開閉可能であると共に、収納対象Ｆの未使用時は、開口部Ｂを閉鎖止着している。
【００１１】
このような容器ＡやキャップＣについて、更に詳述する。まず、容器ＡやキャップＣの材質としては、プラスチック製，金属製，ガラス製，強化紙製，その他公知の各種材料が使用される。
容器Ａ内に内部収納される収納対象Ｆとしては、清涼飲料，ジュース，コーヒー，茶，水，ドリンク剤，アルコール類，その他の各種飲料を始め、調味料，油類，その他の飲食物、更には、化粧水，化粧クリーム，その他の生活用品、等々が考えられる。
もって容器Ａは、例えばボトルや缶等とも称され、このような収納対象Ｆの出し入れ用の開口部Ｂを備えており、この開口部Ｂが、キャップＣにて開閉可能となっている。
そして、本発明が使用対象とする開口部ＢとキャップＣとは、ネジ式よりなる。つまり両者には、それぞれ対応するネジが螺刻されると共に、両者のネジが螺合する関係となっている。もって、ねじの螺合と螺合解放とにより、容器Ａの開口部Ｂが、キャップＣにて開閉可能となっている。
これと共に、収納対象Ｆの未使用時の容器Ａは、その開口部Ｂが、蓋であるキャップＣにて、閉鎖止着されている。つまり、収納対象Ｆを内部収納した容器Ａは、開口部Ｂが、キャップＣにて螺合されると共に、不用意に開放されないように、螺合状態で閉鎖止着されている。
容器ＡとキャップＣは、このようになっている。
【００１２】
以下、本発明のキャップ開放具１について、図１〜図３を参照して、説明する。
このキャップ開放具１は、容器ＡのキャップＣに外嵌可能な内側部２と、手Ｄの指Ｅで把持して回転力を付与可能な外側部３とを、備えると共に、外側部３の回転を内側部２に伝達可能となっている。内側部２は、キャップＣに外嵌接触する内面４が、滑り止め構造５よりなっている。
図の（１）図，（２）図，図２の（１）図に示した代表例において、内側部２と外側部３は、別体構成よりなると共に、両者間に例えば３個の連結部６が、等間隔で介装されている。
【００１３】
このようなキャップ開放具１について、更に詳述する。まず、キャップ開放具１の材質としては、紙製，プラスチック製，金属製，ゴム製，その他の各種材料が使用可能である。又、全体的に同一材料製としてもよいが、内側部２，外側部３，連結部６等で異なる材料を使用するようにしてもよい。
そして、キャップ開放具１の内側部２は、容器ＡのキャップＣに外嵌可能となっている。まず、容器ＡのキャップＣは、容器Ａ上部の開口部Ｂにネジ式にて螺合されるので、代表的には有頂円筒形状をなす。もって、このようなキャップＣ外面（外周面）に外嵌接触されるキャップ開放具１の内側部２も、その内面４が周面状，円筒状をなし、内側部２全体も、図１の（１）図，（２）図，図２の（１）図に示したように、円環形状をなすのが代表的である。
【００１４】
キャップ開放具１の内側部２の内面４の内径は、キャップＣ外面に外嵌摩擦接触されることに鑑み、キャップＣ外面の外径に見合ったものとされる。
そして、このような内側部２の内径は、使用対象とされる容器ＡのキャップＣ外径の代表例に合わせて設定される。すなわち、キャップＣ外径は、その商品毎に例えば清涼飲料毎に、代表的寸法がいくつか決まっているので、内側部２の内径も、このような各代表的寸法に見合ったものとして、それぞれに対応すべく個別に設定，製作される。
なお、キャップＣ外面が円筒以外の形状をなす容器Ａについては、キャップ開放具１の内側部２の内面４も、これに外嵌可能な見合った形状と内径寸法とで、設定，製作されることになる。
【００１５】
キャップ開放具１の内側部２の内面４には、キャップＣとの外嵌摩擦接触を確実化すべく、滑り止め構造５が施されている。
この滑り止め構造５としては、ゴム材を内面４に添着した構造が代表的であるが、内面４にギザギザきざみのローレット加工を施すようにしてもよく、更にその他、キャップＣ外面との摩擦力を増大せしめる構造の採用も考えられる。
なお、内側部２の材質自体が滑り止め構造５としての機能を発揮するな場合、例えば内側部２自体がゴム製よりなる場合は、あえて別途、滑り止め構造５用の構成を採用する必要はない。
【００１６】
次に、キャップ開放具１の外側部３について述べる。この外側部３は、上述した内側部２の外側に配されており、図１の（１）図，（２）図，図２の（１）図に示した例では、円環形状をなしている。
そして、図２の（１）図に示したように、外側部３の外面を、手Ｄの指Ｅで把持して回転力を与えることにより、→外側部３が回転する。→そして、この回転力が、図１の（１）図，（２）図，図２の（１）図に示した例では、連結部６を介し内側部２に伝達される。→もってキャップ開放具１が、全体的，一体的に回転することになる。
→もって、このようなキャップ開放具１の回転、そして内側部２の回転に基づき、→内側部２の内面４にて外嵌摩擦接触されたキャップＣが、回転せしめられることにより、→キャップＣと容器Ａの開口部Ｂとの閉鎖止着が解かれて、→容器Ａの開口部Ｂが、開放されることになる。
【００１７】
次に、図３の各図の例について、説明しておく。
本発明のキャップ開放具１は、上述した図１の（１）図，（２）図，図２の（１）図に示した構成が、代表的であるが、図３の各図に示した各種構成も可能である。
まず、図３の（１）図，（２）図に示したキャップ開放具１の例のように、内側部２が、円環形状ではなく、三角筒状，四角筒状，その他の形状をなすと共に、内側部２が、キャップＣ外面に対し全面的に外嵌密接触されるのではなく、３個所や４個所で部分的に外嵌接触される構成とし、更に、内側部２が、外側部３に対し連結部６を介することなく直接連結される構成も、可能である。
又、図３の（３）図，（４）図に示したキャップ開放具１の例のように、外側部３が、円環形状ではなく、三角筒状，四角筒状，その他の形状をなすと共に、外側部３が、内側部２に対し連結部６を介することなく直接連結される構成も、可能である。
更に、図３の（５）図に示したキャップ開放具１の例のように、内側部２と外側部３とを、別体構成ではなく一体構成とすることも、可能である。
又、図３の（６）図に示したキャップ開放具１の例のように、図３の（３）図の例の円環形状の内側部２を、より肉厚の円筒形状とした構成も、可能である。
本発明のキャップ開放具１は、以上説明したようになっている。
【符号の説明】
【００１８】
１  キャップ開放具
２  内側部
３  外側部
４  内面
５  滑り止め構造
６  連結部
Ａ  容器
Ｂ  開口部
Ｃ  キャップ
Ｄ  手
Ｅ  指
Ｆ  収納対象
【図１】
2011098749.tif 000003
【図２】
2011098749.tif 000004
【図３】
2011098749.tif 000005